(57)【要約】【課題】ザッピングをよく行う視聴者に対しても、精度の高い視聴者の好みの番組判定機能を提供する。【解決手段】同一チャンネルを第１の規定時間Ｎ秒以上継続して視聴した場合に好みのチャンネルの候補に登録する候補チャンネル登録ステップと、候補登録されたチャンネルの視聴時間を計測する候補チャンネル視聴時間計測ステップと、候補登録されたチャンネルの中から第２の規定時間Ｍ秒以上継続した時に視聴者の好みのチャンネルとして判定する好みのチャンネル判定ステップを有したアルゴリズムの処理を実行するマイコンをテレビジョン受像機に内蔵することで視聴者の好みの番組を精度高く判定することができる。【選択図】図１
2005086325.tif 000002
【特許請求の範囲】
【請求項１】
同一チャンネルを第１の規定時間以上継続して視聴した場合に好みのチャンネルの候補に登録する候補チャンネル登録ステップと、候補登録されたチャンネルの視聴時間を計測する候補チャンネル視聴時間計測ステップと、候補登録されたチャンネルの中から第２の規定時間以上継続した時に視聴者の好みのチャンネルとして判定する好みのチャンネル判定ステップを有する番組判定方法。
【請求項２】
請求項１に記載の番組判定方法を実行処理するマイコンを備えたことを特徴とする選局装置。
【請求項３】
同一チャンネルを第１の規定時間以上継続して視聴した場合に好みのチャンネルの候補に登録する候補チャンネル登録手段と、候補登録されたチャンネルの視聴時間を計測する候補チャンネル視聴時間計測手段と、候補登録されたチャンネルの中から第２の規定時間以上継続した時に視聴者の好みのチャンネルとして判定する好みのチャンネル判定手段とを備えた選局装置。
【請求項４】
請求項２または３のいずれかに記載の選局装置を備えたことを特徴とするテレビジョン受像機。
【発明の詳細な説明】
【技術分野】
【０００１】
本発明は、テレビジョン受像機に関するもので、特に視聴者の好みの番組を判定する自動選局装置に関する。
【背景技術】
【０００２】
多チャンネル化が進むテレビ放送において、視聴者のテレビション受像機の利便性を高めるべく、視聴者の好みの番組を判定し自動選局をする提案が多数行われているが、これらは継続視聴時間を計測して好みの番組であることを判定している。しかし、視聴者の中によっては、ＣＭ放送時にはチャンネルを切り替えてＣＭを見ないようにする等のザッピングを頻繁に行う場合も多く、継続して同一チャンネルを視聴しているという判定が十分に行えない場合があった。
【０００３】
これに対する対策として、ザッピング指示手段を設けることでザッピング中であるかどうかの判定をするという提案がなされている（例えば特許文献１を参照）。
【特許文献１】特開２００１−２３７７８９号公報
【発明の開示】
【発明が解決しようとする課題】
【０００４】
しかしながら、視聴者はザッピングを意識してザッピングをしているわけではなく、また、チャンネルを切り替えるために従来とは違った操作を強いてしまうことはかえってテレビジョン受像機の利便性を悪くしてしまう恐れがある。
【０００５】
本発明は、これらの課題を解決し、通常の視聴スタイルでも精度の高い視聴者の好みの番組の判定を行う方法ならびに手段を提供することを目的とする。
【課題を解決するための手段】
【０００６】
以上の課題を解決するために、同一チャンネルを第１の規定時間Ｎ秒以上継続して視聴した場合に好みのチャンネルの候補に登録する候補チャンネル登録ステップと、候補登録されたチャンネルの視聴時間を計測する候補チャンネル視聴時間計測ステップと、候補登録されたチャンネルの中から第２の規定時間Ｍ秒以上継続した時に視聴者の好みのチャンネルとして判定する好みのチャンネル判定ステップを有したアルゴリズムの処理を実行するマイコンを内蔵することで視聴者の好みの番組を精度高く判定することができる。
【発明の効果】
【０００７】
以上により、ザッピングをよく行う視聴者に対しても、精度の高い視聴者の好みの番組判定機能を提供することができる。
【発明を実施するための最良の形態】
【０００８】
（実施の形態１）
図１に本発明の番組判定方法のアルゴリズムについて、実施の形態の一例としてのフローチャートを示す。
【０００９】
Ｓ０１で同一チャンネルを継続視聴中かを判定し、チャンネル変化があった場合はＳ０２で視聴時間カウントをクリアする。Ｓ０１で同一チャンネル視聴中と判定された場合、Ｓ０３で同一チャンネル視聴時間を加算し、Ｓ０４で視聴時間が第１の規定時間として設定したＮ秒以上に達したかを判定する。
【００１０】
視聴時間が規定時間Ｎ秒以上継続していた場合、Ｓ０５で視聴中のチャンネルが既に好みのチャンネルの候補として登録されているチャンネルであればＳ０６で候補チャンネルの視聴時間を加算する。また、Ｓ０５で候補チャンネルとして登録されていないと判定された場合は、Ｓ０７で候補チャンネルとして登録処理をし、Ｓ０８で視聴開始時間の登録処理を行う。
【００１１】
一方、Ｓ０４で規定時間Ｎ秒以上視聴していないと判定した場合、Ｓ０９で視聴中のチャンネルが好みのチャンネルの候補として登録されているチャンネルであればＳ１０で該当する候補チャンネルの視聴時間を加算し、Ｓ０９で候補チャンネルとして登録されていないチャンネルと判定した場合はＳ１１でザッピング中のチャンネルであると判定する。
【００１２】
これらの処理をした結果、Ｓ１２において、視聴者の好みのチャンネルの候補として登録されたチャンネルの中から継続視聴時間が第２の規定時間Ｍ秒以上経過したものがあれば、そのチャンネルを視聴者の好みのチャンネルと判定する。
【００１３】
なお、一般にザッピング時の視聴時間は好みの番組を視聴する時間より短いので、文中の値ＮおよびＭの関係は、Ｎ≦Ｍとする。またＮやＭの具体数値は技術的に限定されるものではなく、視聴者のザッピングの傾向にあわせて所定の値を設定すればよい。
【００１４】
次に、ザッピングの一例を示し、本発明の動作を説明する。図２は、ザッピングがあった場合のタイムチャートの一例である。
【００１５】
視聴確定時間Ｎ＝２、好みのチャンネル確定時間Ｍ＝３とした場合、ｔ＝３の時点で２ｃｈを好みのチャンネル候補として登録される。ｔ＝３から５の期間はザッピングと判定する。ｔ＝６の段階で継続視聴時間が３となるので２ｃｈを好みチャンネルとして確定判定する。また、この時の２ｃｈの視聴開始時間はｔ＝１となる。その後、ｔ＝８の段階で６ｃｈが候補チャンネルとして登録され、ｔ＝９では２ｃｈを継続視聴している可能性があると判断されるが、ｔ＝１０の段階で６ｃｈの継続視聴時間が３となることでｔ＝６からは６ｃｈを好みのチャンネルとして視聴していると判定することができる。
【００１６】
なお、同図における１〜１０の数値は、特に単位を秒に限定したものでなく、時間の経過と視聴チャンネルの遷移の一例を示して、本発明の判定方法を具体的に説明するためのものであり、数値の大きさも限定するものではない。
【００１７】
以上のアルゴリズムにより、通常の視聴スタイルでもザッピング中であるかの判定を行うことを可能とし、精度の高い視聴者の好みの番組の判定を行う方法を提供することができる。
【００１８】
さらに、上記の番組判定方法を実行処理するマイコンを備えた選局装置をテレビジョン受像機に内蔵しておけば、上記の判定結果に基づく好みの番組一覧表の提示や自動選局機能によって好みの番組の自動予約を行うことができ、利便性の高いテレビジョン受像機を提供することができる。
【００１９】
また、上記方法の各ステップを機能ブロックとして備えてもよく、例えば、同一チャンネルを第１の規定時間以上継続して視聴した場合に好みのチャンネルの候補に登録する候補チャンネル登録手段と、候補登録されたチャンネルの視聴時間を計測する候補チャンネル視聴時間計測手段と、候補登録されたチャンネルの中から第２の規定時間以上継続した時に視聴者の好みのチャンネルとして判定する好みのチャンネル判定手段とを備えた選局装置として構成し、当該選局装置をテレビジョン受像機に内蔵しても本願発明の作用効果は同様に得られるものである。
【産業上の利用可能性】
【００２０】
本発明にかかる番組判定方法は、ザッピングをよく行う視聴者に対しても、精度の高い視聴者の好みの番組判定機能を提供することができるものであり、テレビジョン受像機等の選局装置を有する電子機器において有用である。
【図面の簡単な説明】
【００２１】
【図１】本発明の番組判定方法の実施の形態の一例としてのフローチャート
【図２】本発明の実施の形態のおけるザッピングの一例を示すタイムチャート
【符号の説明】
【００２２】
Ｓ０４    候補チャンネル登録ステップ
Ｓ０６、Ｓ１０    候補チャンネル視聴時間計測ステップ
Ｓ１２    好みのチャンネル判定ステップ
【図１】
2005086325.tif 000003
【図２】
2005086325.tif 000004